(57)【要約】【課題】  スライダの抜け止め用の爪部の強度が高く、容易に折れ曲がらないウインドレギュレータを提供することを課題とする。【解決手段】  リフトアームブラケット１１５は、第１のシュー（スライダ）が係合して移動するスライダガイド部１１８と、スライダガイド部１１８の両側に形成され、ガラスホルダが取り付けられるガラスホルダ取り付け部１１６とを有し、ガラスホルダ取り付け部１１６の補強を行う補強部と、第１のシューが当接し、第１のシューがスライダガイド部１１８より外れるのを防ぐ爪部１６２とを有する補強部材１６１がガラスホルダ取り付け部１１６に積層するように取り付けられ、リフトアームブラケット１１５のガラスホルダ取り付け部１１６には、爪部１６２の第１のシューが当接する面（シュー当接面）１６２ａと対向する面（シュー当接面対向面）１６２ｂが当接可能な側面（爪当接部）１１６ｃを形成する。【選択図】    図１
2006342617.tif 000002
【特許請求の範囲】
【請求項１】
ウインドガラスを支持するガラスホルダと、
ウインドガラスの下辺に沿って配置され、前記ガラスホルダが取り付けられたリフトアームブラケットと、
ドアパネル側に回転可能に設けられたピニオンと、
前記ドアパネル側に中間部が回転可能に設けられたリフトアームと、
該リフトアームの一方の回転端部側に設けられ、前記ピニオンと噛合するドリブンギアと、
前記リフトアームの他方の回転端部側に回転可能に設けられ、前記リフトアームブラケットに移動可能に係合するスライダと、
を有するウインドレギュレータにおいて、
前記リフトアームブラケットは、前記スライダが係合して移動するスライダガイド部と、該スライダガイド部の両側に形成され、前記ガラスホルダが取り付けられるガラスホルダ取り付け部とを有し、
前記ガラスホルダ取り付け部の補強を行う補強部と、前記リフトアームブラケットのスライダガイド部に移動可能に係合する前記スライダが当接可能で、前記スライダが当接することにより前記スライダが前記スライダガイド部より外れるのを防ぐ爪部とを有する補強部材が前記ガラスホルダ取り付け部に積層するように取り付けられ、
前記リフトアームブラケットのガラスホルダ取り付け部に、
前記爪部の前記スライダが当接する面と対向する面が当接可能な爪当接部を形成したことを特徴とするウインドレギュレータ。
【発明の詳細な説明】
【技術分野】
【０００１】
本発明は、ウインドガラスを支持するガラスホルダと、ウインドガラスの下辺に沿って配置され、前記ガラスホルダが取り付けられたリフトアームブラケットと、ドアパネル側に回転可能に設けられたピニオンと、前記ドアパネル側に中間部が回転可能に設けられたリフトアームと、該リフトアームの一方の回転端部側に設けられ、前記ピニオンと噛合するドリブンギアと、前記リフトアームの他方の回転端部側に回転可能に設けられ、前記リフトアームブラケットに移動可能に係合するスライダとを有するウインドレギュレータに関する。
【背景技術】
【０００２】
図５を用いてウインドレギュレータの全体構成を説明する。
図において、ドアのインナパネル側には、図示しないモータの出力軸に取り付けられたピニオン１が設けられている。又、ドアのインナパネル側には、中間部がピン２を用いて回転可能に設けられたリフトアーム３が設けられている。リフトアーム３の一方の回転端部側には、ピニオンに１噛合するドリブンギア５が設けられている。
【０００３】
ウインドガラス７の下辺に沿って、リフトアームブラケット９が配置されている。そして、ウインドガラス７の下辺側を支持する２つのガラスホルダ１１がリフトアームブラケット９の両端部側に取り付けられている。
【０００４】
リフトアームブラケット９は、両端部側にはガラスホルダ１１が取り付けられるガラスホルダ取り付け部１３が形成され、ガラスホルダ取り付け部１３の間には、断面形状が略Ｃ字形のスライダガイド部１５が形成されている。
【０００５】
リフトアーム３の他方の端部側には、リフトアームブラケット９のスライダガイド部１５に移動可能に係合するスライダ１７が取り付けられている。
リフトアーム３の中間部には、リフトアーム３とＸ字状に交差するように中間部が回転可能に枢着されたイコライザアーム１９が設けられている。イコライザアーム１９の一方の端部には、リフトアームブラケット９のスライダガイド部１５に移動可能に係合するスライダ２１が設けられている。
【０００６】
一方、ドアのインナパネル側には、リフトアームブラケット９のガイドと平行にイコライザアームブラケット２３が設けられる。イコライザアーム１９の他方の端部には、イコライザアームブラケット２３に移動可能に係合するスライダ２５が設けられている。
【０００７】
図６に示すように、リフトアームブラケット９の両端側にあるガラスホルダ取り付け部１３には、穴１３ａが形成されている。更に、穴１３ａと対向してナット（ウエルドナット）２７が固着されている。ガラスホルダ１１にも穴１１ａが形成されている。そして、ガラスホルダ１１の穴１１ａ、ガラスホルダ取り付け部１３の穴１３ａを挿通しナット２７に螺合するボルト２９により、ガラスホルダ１１はリフトアームブラケット９のガラスホルダ取り付け部１３に取り付けられる。
【０００８】
ガラスホルダ取り付け部１３には、ガラスホルダ１１をガラスホルダ取り付け部１３の所定の位置まで案内するガイド斜面１３ｂ、ガイド斜面１３ｃが形成されている。又、ガラスホルダ取り付け部１３には、リフトアームブラケット９のスライダガイド部に移動可能に係合するスライダ１７またはスライダ２１が当接可能で、スライダ１７またはスライダ２１が当接することによりスライダ１７またはスライダ２１がスライダガイド部１５より抜けるのを防ぐ爪部３１が形成されている。
【０００９】
これら、ガイド斜面１３ｂ、１３ｃや爪部３１は、折り曲げ加工で形成される。
そして、図示しないモータが駆動されると、モータの出力軸に設けられたピニオン１が回転し、ドリブンギア５，リフトアーム３がピン２を中心に回転する。モータを駆動して、リフトアーム３の他方の端部側を上方または下方に移動させると、リフトアームブラケット９が上昇または下降し、ウインドガラス７も上昇または下降する。このとき、イコライザアーム１９はウインドガラス７が水平を保ちながら昇降するように回転する（例えば、特許文献１参照。）。
【００１０】
図５−図６に示す構成のガイド斜面１３ｂは折り曲げ加工で形成されるが、ガイド斜面１３ｂの折り曲げ方向が他の折り曲げ加工部（例えば、図６のガイド斜面１３ｃ）と反対方向であり、加工が複雑となり生産性が悪い。よって、図７に示すように、ガラスホルダ取り付け部１３の外面にガイド斜面１３ｂと同じ方向に曲げられたガイド斜面５１ｂを有する補強部材５１を溶接等で取り付けた構成も提案されている。
【特許文献１】特開２００２−１１５４４６号公報（明細書段落番号００１０−００１８、図１−図３、図９）
【発明の開示】
【発明が解決しようとする課題】
【００１１】
図７に示す構成では、リフトアームブラケット９の板厚が薄くても、補強部材５１を取り付けることでリフトアームブラケット９のガラスホルダ取り付け部１３の強度は確保できる。
【００１２】
しかし、爪部３１は、板厚が薄いリフトアームブラケット９を折り曲げ加工して形成されているので、強度がない。よって、スライダ１７またはスライダ２１が当接すると、簡単に折れ曲がり、爪部としての機能を果たさない問題点がある。特に、ウインドレギュレータを車両に組み付ける場合には、ドリブンギア５とピニオン１との噛合がなされていない状態で、組みつけられるので、スライダ１７またはスライダ２１が爪部３１に当接しやすい。
【００１３】
本発明は、上記問題点に鑑みてなされたもので、その課題は、スライダの抜け止め用の爪部の強度が高く、容易に折れ曲がらないウインドレギュレータを提供することにある。
【課題を解決するための手段】
【００１４】
上記課題を解決する請求項１に係る発明は、ウインドガラスを支持するガラスホルダと、ウインドガラスの下辺に沿って配置され、前記ガラスホルダが取り付けられたリフトアームブラケットと、ドアパネル側に回転可能に設けられたピニオンと、前記ドアパネル側に中間部が回転可能に設けられたリフトアームと、該リフトアームの一方の回転端部側に設けられ、前記ピニオンと噛合するドリブンギアと、前記リフトアームの他方の回転端部側に回転可能に設けられ、前記リフトアームブラケットに移動可能に係合するスライダと、を有するウインドレギュレータにおいて、前記リフトアームブラケットは、前記スライダが係合して移動するスライダガイド部と、該スライダガイド部の両側に形成され、前記ガラスホルダが取り付けられるガラスホルダ取り付け部とを有し、前記ガラスホルダ取り付け部の補強を行う補強部と、前記リフトアームブラケットのスライダガイド部に移動可能に係合する前記スライダが当接可能で、前記スライダが当接することにより前記スライダが前記スライダガイド部より外れるのを防ぐ爪部とを有する補強部材が前記ガラスホルダ取り付け部に積層するように取り付けられ、前記リフトアームブラケットのガラスホルダ取り付け部に、前記爪部の前記スライダが当接する面と対向する面が当接可能な爪当接部を形成したことを特徴とするウインドレギュレータである。
【００１５】
ピニオンが回転すると、ピニオンに噛合するドリブンギアが一方の端部側に設けられたリフトアームが回転する。リフトアームが回転して、リフトアームの他方の端部側が上方または下方に移動すると、リフトアームの他方の端部側に設けられたスライダが移動可能に係合するリフトアームブラケットが上昇、または下降し、ウインドガラスも上昇または下降する。
【発明の効果】
【００１６】
請求項１に係る発明によれば、前記リフトアームブラケットには、前記スライダが係合して移動するスライダガイド部と、該スライダガイド部の両側に形成され、前記ガラスホルダが取り付けられるガラスホルダ取り付け部とを有し、前記ガラスホルダ取り付け部の補強を行う補強部と、前記リフトアームブラケットのスライダガイド部に移動可能に係合する前記スライダが当接可能で、前記スライダが当接することにより前記スライダが前記スライダガイド部より外れるのを防ぐ爪部とを有する補強部材が前記ガラスホルダ取り付け部に積層するように取り付けられ、前記リフトアームブラケットのガラスホルダ取り付け部に、前記爪部の前記スライダが当接する面と対向する面が当接可能な爪当接部を形成したことにより、スライダが爪部に当接し爪部が曲がろうとすると、前記爪部の前記スライダが当接する面と対向する面が爪当接部に当接し、それ以上の曲がりが禁止される。
【００１７】
よって、スライダの抜け止め用の爪部の強度が高く、爪部が容易に折れ曲がらない。
【発明を実施するための最良の形態】
【００１８】
以下、図面を用いて本発明の実施の形態例を説明する。
最初に、図４を用いて本形態例のウインドレギュレータの全体構成を説明する。図４はドアインナパネルを取り外した状態を示している。ドアのインナパネルには、モータベース１０１が取り付けられている。このモータベース１０１のインナパネル側の面には、モータ１０３が設けられている。このモータ１０３の出力軸は、モータベース１０１のアウタパネル１０４側の面上に突出し、突出部分にはピニオン１０５が取り付けられている。
【００１９】
モータベース１０１には、アウタパネル１０４方向に延びるピン１０７が回転可能に取り付けられている。このピン１０７には、リフトアーム１０９の基部側が取り付けられ、リフトアーム１０９はモータベース１０１に対して回転可能となっている。更に、ピン１０７にはリフトアーム１０９の延出方向と反対側に延出するドリブンギア１１１の基部側が取り付けられ、ドリブンギア１１１はリフトアーム１０９と一体となってモータベース１０１に対して回転可能となっている。このドリブンギア１１１の回転端部側に形成された歯は、ピニオン１０５に噛合し、ピニオン１０５が回転すると、一体となったドリブンギア１１１，リフトアーム１０９は、ピン１０７を中心として回転するようになっている。
【００２０】
ウインドガラス１１３の下辺に沿って、リフトアームブラケット１１５が配置されている。そして、ウインドガラス１１３の下辺側を支持する２つのガラスホルダ１１２がリフトアームブラケット１１５の両端部側に取り付けられている。
【００２１】
リフトアームブラケット１１５は、両端部側にはガラスホルダ１１２が取り付けられるガラスホルダ取り付け部１１６、１１６’が形成され、ガラスホルダ取り付け部１１６、１１６’の間には、断面形状が略Ｃ字形のスライダガイド部１１８が形成されている。
【００２２】
リフトアーム１０９の他方の端部側には、リフトアームブラケット１１５のスライダガイド部１１８に移動可能に係合する第１シュー（スライダ）１１７が設けられている。
リフトアーム１０９の中間部には、リフトアーム１０９とＸ字状に交差するように中間部が回転可能に枢着されたイコライザアーム１２１が設けられている。イコライザアーム１２１の一方の端部には、リフトアームブラケット１１５のスライダガイド部１１８に移動可能に係合する第２シュー（スライダ）１２３が設けられている。
【００２３】
一方、インナパネルには、リフトアームブラケット１１５のガイドと平行なガイドを有するイコライザアームブラケット１２５が設けられる。イコライザアーム１２１の他方の端部には、イコライザアームブラケット１２５に移動可能に係合する第３シュー１２７が設けられている。
【００２４】
そして、モータ１０３が駆動されると、モータ１０３の出力軸に設けられたピニオン１０５が回転し、ドリブンギア１１１，リフトアーム１０９がピン１０７を中心に回転する。モータ１０３を駆動して、リフトアーム１０９の回転端部側を上方または下方に移動させると、リフトアームブラケット１１５が上昇または下降し、ウインドガラス１１３も上昇または下降する。このとき、イコライザアーム１２１はウインドガラス１１３が水平を保ちながら昇降するように回転する。
【００２５】
次に、図１−図３を用いて、リフトアームブラケット１１５のガラスホルダ取り付け部１１６、１１６’を詳細に説明する。図１は図４のリフトアームブラケット１１５のガラスホルダ取り付け部１１６の正面図、図２は図１の上面図、図３（ａ）は図１の切断線Ａ−Ａでの断面図、図３（ｂ）は図１の切断線Ｂ−Ｂでの断面図である。尚、図１−図３に示すガラスホルダ取り付け部１１６は、図４の右側のガラスホルダ取り付け部１１６を示している。図４の左側のガラスホルダ取り付け部１１６’の構造は、右側のガラスホルダ取り付け部１１６の構造と同じであるので、説明は省略する。
【００２６】
図３に示すように、ガラスホルダ取り付け部１１６は、基底部１１６ｃと基底部１１６ｃから上方に向かって折曲した立壁部１１６ｄとからなり、断面形状が略Ｌ字形となっている。ガラスホルダ取り付け部１１６の立壁部１１６ｄには穴１１６ａが形成され、ガラスホルダ取り付け部１１６の立壁部１１６ｄの外面には、めねじ穴が穴１１６ａと対向するように、ナット１５１が溶接等の手法によりに取り付けられている。
【００２７】
また、図１−図３に示すように、ガラスホルダ取り付け部１１６の立壁部１１６ｄの外面には、補強部材１６１が溶接等の手法により積層されるように取り付けられている。この補強部材１６１には、ナット１５１が挿通する穴１６１ａが形成されている。更に、補強部材１６１の上部は、上に行くに従ってリフトアームブラケット１１５から離れる斜面となったガイド斜面１６１ｂが形成されている。
【００２８】
ガラスホルダ１１２は、ウインドガラス１１３を保持する保持部１１２ａと、リフトアームブラケット１１５に取り付けられる取り付け部１１２ｂとからなっている。取り付け部１１２ｂには穴１１２ｃが形成されている。
【００２９】
そして、ガラスホルダ１１２のガラスホルダ取り付け部１１６が、補強部材１６１のガイド斜面１６１ｂに案内されてセットされる。次に、ガラスホルダ１１２の穴１１２ｃ、リフトアームブラケット１１５のガラスホルダ取り付け部１１６の穴１１６ａを挿通して、ナット１５１に螺合するボルト１５３により、ガラスホルダ１１２は、リフトアームブラケット１１５のガラスホルダ取り付け部１１６に取り付けられるようになっている。
【００３０】
図２に示すように、ガラスホルダ取り付け部１１６の基底部１１６ｃには、切り欠き部１１６ｅが形成されている。一方、補強部材１６１には、ガラスホルダ１１６の基底部１１６ｃの下面に沿って延出し、切り欠き部１１６ｅから上方に向かって延出する爪部１６２が形成されている。この爪部１６２には、リフトアームブラケット１１５のスライダガイド部１１８に移動可能に係合する第１のシュー１１７が当接可能なシュー当接面１６２ａが形成されてる。更に、爪部１６２には、シュー当接面１６２ａと対向するシュー当接面対向面１６２ｂが形成されている。このシュー当接面対向面１６２ｂは、ガラスホルダ取り付け部１１６の基底部１１６ｃの切り欠き部１１６ｅ側の側面１１６ｆに当接可能となっている。
【００３１】
従って、爪部１６２のシュー当接面１６２ａに第１のシュー１１７が当接して、爪部１６２が図１、図２において矢印Ｃ方向に曲がろうとすると、爪部１６２のシュー当接面対抗面１６２ｂがガラスホルダ取り付け部１１６の基体部１１６ｃの側面１１６ｆに当接して、爪部１６２のそれ以上の曲がりを禁止することとなる。即ち、側面１１６ｆは、爪当接部として機能する。
【００３２】
爪部１６２以外の補強部材１６１は、ガラスホルダ取り付け部１１６に積層されガラスホルダ取り付け部１１６の補強を行う補強部として機能する。
次に、上記構成の作動を説明する。モータ１０３が駆動されると、モータ１０３の出力軸に設けられたピニオン１０５が回転し、ドリブンギア１１１，リフトアーム１０９がピン１０７を中心に回転する。モータ１０３を駆動して、リフトアーム１０９の他方の端部側を上方または下方に移動させると、リフトアームブラケット１１５が上昇または下降し、ウインドガラス１１３も上昇または下降する。このとき、イコライザアーム１２１はウインドガラス１１３が水平を保ちながら昇降するように回転する。
【００３３】
このような構成によれば、第１のシュー１１７が爪部１６２に当接し爪部１６２が折れ曲がろうとすると、爪部１６２はガラスホルダ取り付け部１１６の基底部１１６ｃの側面１１６ｆ（爪当接部）に当接し、それ以上の折れ曲がりが禁止される。よって、第１のシュー１１７の抜け止め用の爪部１６２の強度が高く、爪部１６２が容易に折れ曲がらない。
【図面の簡単な説明】
【００３４】
【図１】形態例のウインドレギュレータの全体構成を説明する図である図４のリフトアームブラケットのガラスホルダ取り付け部の正面図である。
【図２】図１の上面図である。
【図３】（ａ）図は図１の切断線Ａ−Ａでの断面図、（ｂ）図は図１の切断線Ｂ−Ｂでの断面図である。
【図４】形態例のウインドレギュレータの全体構成を説明する図である。
【図５】従来のウインドレギュレータの全体構成を説明する図である。
【図６】図５のリフトアームブラケットの斜視図である。
【図７】他の従来例を説明する図である。
【符号の説明】
【００３５】
１１５  リフトアームブラケット
１１６  ガラスホルダ取り付け部
１１６ｆ  側面
１１８  スライダガイド部
１６１  補強部材
１６２  爪部
【図１】
2006342617.tif 000003
【図２】
2006342617.tif 000004
【図３】
2006342617.tif 000005
【図４】
2006342617.tif 000006
【図５】
2006342617.tif 000007
【図６】
2006342617.tif 000008
【図７】
2006342617.tif 000009